(57)【要約】【課題】本発明は、フロント外部入力端子１５を介して接続されたポータブルオーディオプレーヤＰＡからの音声を出力する場合でも煩雑な操作をユーザに強いることなく最適な音量レベルに自動的に調整して出力できるようにする。【解決手段】本発明は、本体部２に設けられたフロント外部入力端子１５を介して接続されたポータブルオーディオプレーヤＰＡから再生音声信号Ｓ２０を入力し、再生音声信号Ｓ２０をスペアナデータＳＡに変換し、スペアナデータＳＡにおける中心周波数付近の入力電圧レベルＶＬと、本体部２で予め設定された基準電圧レベルＲＦとを比較し、その比較結果に応じて本体部２を介して出力すべき再生音声信号Ｓ２０に基づく音声の音量レベルをフェーダー調整部２３Ｃによって制御する。【選択図】図５
2009212830.tif 000002
【特許請求の範囲】
【請求項１】
本体部を介して出力される音声の音量レベルを制御するゲイン調整部と、
上記本体部に設けられた外部入力端子と、
上記外部入力端子を介して接続された外部機器から外部音声信号を入力し、当該外部音声信号を周波数軸上の波形に変換する変換部と、
上記波形が示す入力電圧レベルと、上記本体部で予め設定された基準電圧レベルとを比較し、その比較結果に応じて上記本体部から出力すべき上記外部音声信号に基づく音声の音量レベルを上記ゲイン調整部によって制御させる制御部と
を具えることを特徴とする電子機器。
【請求項２】
上記制御部は、上記比較結果として、上記入力電圧レベルが上記基準電圧レベルよりも小さいとき上記ゲイン調整部のゲインを上げ、上記入力電圧レベルが上記基準電圧レベルよりも大きいとき上記ゲイン調整部のゲインを下げる
ことを特徴とする請求項１に記載の電子機器。
【請求項３】
上記制御部は、
上記本体部を介して上記外部音声信号に基づく音声を出力する外部入力状態から上記本体部によるソースの音声を出力する内部出力状態へ戻したとき、上記ゲイン調整部によるゲインを上記基準電圧レベルに戻す
ことを特徴とする請求項１に記載の電子機器。
【請求項４】
本体部に設けられた外部入力端子を介して接続された外部機器から外部音声信号を入力する入力ステップと、
外部音声信号を変換手段によって周波数軸上の波形に変換する変換ステップと、
上記波形が示す入力電圧レベルと、上記本体部で予め設定された基準電圧レベルとを比較し、その比較結果に応じて上記本体部から出力すべき上記外部音声信号に基づく音声の音量レベルを所定のゲイン調整部によって制御する制御ステップと
を有することを特徴とする音量レベル制御方法。
【発明の詳細な説明】
【技術分野】
【０００１】
本発明は、電子機器及び音量レベル制御方法に関し、例えば車載用のオーディオ機器（以下、これをカーオーディオ装置と呼ぶ）に適用して好適なものである。
【背景技術】
【０００２】
従来、カーオーディオ装置においては、そのフロントパネルに対して外部入力端子が設けられているものがあり、当該外部入力端子を介してユーザが所持しているポータブルオーディオプレーヤを接続し、そのポータブルオーディオプレーヤによる再生音声をオーディオ機器経由で車両のスピーカから出力し得るようになされている。
【０００３】
また、情報処理装置として、コネクタに対して例えばヘッドホンが接続された場合に、当該情報処理装置に内蔵された内部スピーカからヘッドホンへ音声出力先を切り換え、そのヘッドホンから出力される音声の音量を自動的に変更するようになされたものがある（例えば、特許文献１参照）。
【特許文献１】特開2005-341111公報
【発明の開示】
【発明が解決しようとする課題】
【０００４】
ところでかかる構成のカーオーディオ装置においては、外部入力端子を介して接続されたポータブルオーディオプレーヤから外部入力される音声データに対してオートゲインコントロール機能（以下、これをＡＧＣ機能と呼ぶ）を働かせるようなものは存在しない。
【０００５】
従ってカーオーディオ装置では、ポータブルオーディオプレーヤにより再生された再生音声を外部入力端子により取り込んで車両のスピーカから出力する場合、当該ポータブルオーディオプレーヤで使用されていた音量レベルのままでは車両のスピーカから出力される音量が非常に小さく、ユーザに対して当該オーディオ機器のマスターボリュームを上げさせるという煩雑な操作を強いるという問題があった。
【０００６】
また、このカーオーディオ装置では、ポータブルオーディオプレーヤが取り外された後、当該ポータブルオーディオプレーヤの再生出力から、カーオーディオ装置の本体部によるＣＤ(Compact Disc)の再生出力に戻したとき、ユーザがマスターボリュームを下げ忘れた場合には車両のスピーカから爆音が出力されてしまうという問題があった。
【０００７】
本発明は以上の点を考慮してなされたもので、外部入力端子を介して接続された外部機器からの音声を出力する場合でも煩雑な操作をユーザに強いることなく最適な音量レベルに自動的に調整して出力し得る電子機器及び音量レベル制御方法を提案しようとするものである。
【課題を解決するための手段】
【０００８】
かかる課題を解決するため本発明の電子機器においては、本体部を介して出力される音声の音量レベルを制御するゲイン調整部と、本体部に設けられた外部入力端子と、外部入力端子を介して接続された外部機器から外部音声信号を入力し、当該外部音声信号を周波数軸上の波形に変換する変換部と、波形が示す入力電圧レベルと、本体部で予め設定された基準電圧レベルとを比較し、その比較結果に応じて本体部から出力すべき外部音声信号に基づく音声の音量レベルをゲイン調整部によって制御させる制御部とを設けるようにする。
【０００９】
これにより本発明の電子機器では、外部入力端子を介して接続された外部機器からの外部音声信号の音量レベルと、本体部を介して出力される音声の音量レベルとが異なる場合でも、外部音声信号の音量レベルを本体部で予め設定された基準の音量レベルと同程度になるよう自動的にゲイン調整することができる。
【００１０】
また本発明の音量レベル制御方法においては、本体部に設けられた外部入力端子を介して接続された外部機器から外部音声信号を入力する入力ステップと、外部音声信号を変換手段によって周波数軸上の波形に変換する変換ステップと、波形が示す入力電圧レベルと、本体部で予め設定された基準電圧レベルとを比較し、その比較結果に応じて本体部を介して出力すべき外部音声信号に基づく音声の音量レベルを所定のゲイン調整部によって制御する制御ステップとを有するようにする。
【００１１】
これにより本発明の音量レベル制御方法では、外部入力端子を介して接続された外部機器からの外部音声信号の音量レベルと、本体部を介して出力される音声の音量レベルとが異なる場合でも、外部音声信号の音量レベルを本体部で予め設定された基準の音量レベルと同程度になるよう自動的にゲイン調整することができる。
【発明の効果】
【００１２】
本発明によれば、外部入力端子を介して接続された外部機器からの外部音声信号の音量レベルと、本体部を介して出力される音声の音量レベルとが異なる場合でも、外部音声信号の音量レベルを本体部で予め設定された基準の音量レベルと同程度になるよう自動的にゲイン調整することができ、かくして外部入力端子を介して接続された外部機器からの音声を出力する場合でも煩雑な操作をユーザに強いることなく最適な音量レベルに自動的に調整して出力し得る電子機器及び音量レベル制御方法を実現することができる。
【発明を実施するための最良の形態】
【００１３】
以下、図面について、本発明の一実施の形態を詳述する。
【００１４】
（１）カーオーディオ装置の外観構成
図１において、１は全体として本発明の一実施の形態におけるカーオーディオ装置を示し、全体として箱型でなる本体部２と、当該本体部２に対して着脱自在に設けられたフロントパネル３とによって構成されている。
【００１５】
実際上、カーオーディオ装置１は、いわゆるＤＩＮ(Deutsche Industrie Normen:ドイツ連邦規格)サイズに準拠しており、横幅が約１７８ｍｍ、高さが約５０ｍｍとなるように本体部２が形成されている。
【００１６】
このカーオーディオ装置１は、図示しない車両に取り付けられた際、その車両の空間的な制約等から、本体部２の大部分がダッシュボード内に埋め込まれ、フロントパネル３だけがダッシュボードの外部に露出するように取り付けられる。
【００１７】
そしてカーオーディオ装置１は、フロントパネル３の正面左側下方に設けられているイジェクトボタン４が押下操作されたことに応じて、当該フロントパネル３が本体部２から取り外されるようになされており、ユーザが車両から離れたときの盗難防止効果を高めるようになされている。
【００１８】
このフロントパネル３は、その正面左側上方に電源ボタン５、正面上方にディスク挿入口６、当該ディスク挿入口６の下方に各種情報を表示するためのＬＣＤ(Liquid Crystal Display)７、当該ＬＣＤ７の左側に円柱状でなるマスターボリューム８が設けられ、その周囲にソース切換ボタン９、ブラウザボタン１０、バックボタン１１及びモード切換ボタン１２が設けられている。
【００１９】
またフロントパネル３は、ブラウザボタン１０とバックボタン１１との間にマイナス方向へのシークボタン１３が設けられると共に、ソース切換ボタン９とモード切換ボタン１２との間にプラス方向へのシークボタン１４が設けられている。
【００２０】
さらにフロントパネル３は、ＬＣＤ７の右側にフロント外部入力端子（ＡＵＸ）１５が設けられており、ユーザが所持する例えばポータブルオーディオプレーヤ（図示せず）を外部電子機器として接続し得るようになされている。
【００２１】
なおカーオーディオ装置１は、図２に示すように、本体部２の背面にも音声入力用のリア外部入力端子１６Ａ及び１６Ｂが設けられており、例えば車両に設置されているカーＴＶ装置（図示せず）を外部電子機器として接続し、そのカーＴＶ装置からの音声を入力し得るようになされている。
【００２２】
因みにカーオーディオ装置１は、本体部２の背面に接続コード１７Ｃによって引き伸ばされた先に音声出力端子１７Ａ及び１７Ｂが設けられていると共に、当該本体部２の背面にアンテナ端子１８、ビデオ出力端子１９、冷却用のファンＦＡ、電力供給コネクタＰＳＣが設けられている。
【００２３】
従ってカーオーディオ装置１では、図２に示すように、本体部２がダッシュボード（図示せず）に取り付けられた状態で、フロントパネル３を介して本体部２に装填されたＣＤ又はＤＶＤ等の内蔵ディスクに対する再生音声を車両のフロントスピーカＦＬ、ＦＲ及びリアスピーカＲＬ、ＲＲ（以下、これらをスピーカＦＬ、ＦＲ、ＲＬ及びＲＲと呼ぶ）から出力し得ると共に、フロント外部入力端子１５を介して接続されたポータブルオーディオプレーヤＰＡから外部入力される再生音声についても本体部２を介して車両のスピーカＦＬ、ＦＲ、ＲＬ及びＲＲから出力し得るようになされている。
【００２４】
またカーオーディオ装置１は、ポータブルオーディオプレーヤＰＡの代わりに、カーＴＶ装置ＣＴが本体部２のリア外部入力端子１６を介して接続された場合、当該カーＴＶ装置ＣＴからのＴＶ音声についても本体部２を介して車両のスピーカＦＬ、ＦＲ、ＲＬ及びＲＲから出力し得るようになされている。
【００２５】
因みにカーオーディオ装置１は、フロントパネル３のフロント外部入力端子１５を介してポータブルオーディオプレーヤＰＡが接続されると同時に、本体部２の背面に設けられたリア外部入力端子１６を介してカーＴＶ装置ＣＴが接続される状況も想定され、そのような場合、ソース切換ボタン９に対するユーザの押下操作に応じて外部入力先を自由に選択させ得るようになされている。
【００２６】
（２）カーオーディオ装置の回路構成
図３に示すようにカーオーディオ装置１は、ＣＰＵ(Central Processing Unit)構成でなるシステムコントローラ２０がＲＯＭ(Read Only Memory)に予め格納されている基本プログラムをＲＡＭ(Random Access Memory)上に起動し、その基本プログラムに従って全体を統括制御すると共に、各種アプリケーションプログラムに従って当該カーオーディオ装置としての各種機能を実現し得るようになされている。
【００２７】
このカーオーディオ装置１では、ソース切換ボタン１４に対するユーザの押下操作により、ソースとして内蔵ディスクの再生出力が選択された場合（以下、これを内蔵ディスク再生モードと呼ぶ）と、チューナによるラジオ放送の受信出力が選択された場合（以下、これをチューナ出力モードと呼ぶ）と、フロントパネル３のフロント外部入力端子１５又はリア外部入力端子１６を介して接続された外部電子機器であるポータブルオーディオプレーヤＰＡ又はカーＴＶ装置ＣＴからの音声出力が選択された場合（以下、これを外部機器出力モードと呼ぶ）とを切り換え得るようになされている。
【００２８】
（２−１）内蔵ディスク再生モード
このカーオーディオ装置１においては、ソース切換ボタン１４に対するユーザの押下操作により内蔵ディスク再生モードが選択された場合、ディスク挿入口６から装填された例えばＣＤ(Compact Disc)をディスク再生部２１によって再生し、その再生データＤ１をディジタル／アナログコンバータ２２へ供給する。
【００２９】
ディジタル／アナログコンバータ２２は、ディスク再生部２１から供給された再生データＤ１をディジタル／アナログ変換し、アナログの再生信号Ｓ２として電子ボリューム回路２３へ送出する。
【００３０】
電子ボリューム回路２３は、システムコントローラ２０からの指示に従って再生信号Ｓ２のゲインを調整し、そのゲイン調整後の再生信号Ｓ３をミュート処理回路２４へ送出する。
【００３１】
ミュート処理回路２４は、楽曲を曲送りするときや、スキップするとき等の音声を出力する必要がないとき（ボリューム値を−∞にするとき）、完全に音声を出力することがないように音声ラインをグランドに落とすことによりミュート処理を実行し、ミュート処理後の再生信号Ｓ４をオーディオアンプ２５へ出力する。
【００３２】
但し、ミュート処理回路２４は、曲送りするときやスキップするとき以外については、ミュート処理を行う必要がなく、再生信号Ｓ３をそのままオーディオアンプ２５へ出力するようになされている。
【００３３】
オーディオアンプ２５は、再生信号Ｓ３又はＳ４を所定のレベルに増幅し、増幅後の再生信号Ｓ５に応じた再生音声をスピーカＦＬ、ＦＲ、ＲＬ及びＲＲから出力するようになされている。
【００３４】
因みにカーオーディオ装置１は、内蔵ディスク再生モードにおいて、ディスク挿入口６を介してＤＶＤ(Digital Versatile Disc)が装填された場合、ＤＶＤ再生音声については、ＣＤの再生データＤ１と同様の処理過程を経てスピーカＦＬ、ＦＲ、ＲＬ及びＲＲから出力する一方、ＤＶＤ再生映像についてはビデオアンプ２８を介して外部のモニタ２９へ出力するようになされている。
【００３５】
（２−２）チューナ出力モード
またカーオーディオ装置１は、ソース切換ボタン１４に対するユーザの押下操作によりチューナ出力モードが選択された場合、アンテナＡＮＴを介して受信したラジオ放送波Ｂ１をチューナ６へ入力する。
【００３６】
チューナ６は、ラジオ放送波Ｂ１のうち、シークボタン１３又は１４（図１）を介して選局されたユーザ所望の放送局のラジオ信号Ｂ２を抽出し、これを電子ボリューム回路２３へ送出する。
【００３７】
電子ボリューム回路２３は、システムコントローラ２０からの指示に従ってラジオ信号Ｂ２のゲインを調整し、そのゲイン調整後のラジオ信号Ｂ３を、ミュート処理回路２４をスルーさせてオーディオアンプ２５へ送出する。
【００３８】
オーディオアンプ２５は、ラジオ信号Ｂ３を所定のレベルに増幅し、増幅後のラジオ信号Ｂ４に応じたラジオ音声をスピーカＦＬ、ＦＲ、ＲＬ及びＲＲから出力するようになされている。
【００３９】
（２−３）外部機器出力モード
さらにカーオーディオ装置１では、外部機器出力モードとして、ポータブルオーディオプレーヤＰＡからの再生音声出力が選択された場合（以下、これを外部機器出力モード１と呼ぶ）と、カーＴＶ装置ＣＴからのＴＶ音声出力が選択された場合（以下、これを外部機器出力モード２と呼ぶ）との２通りがあり、以下それぞれについて説明する。
【００４０】
カーオーディオ装置１では、ソース切換ボタン１４に対するユーザの押下操作により外部機器出力モード１が選択された場合、フロントパネル２のフロント外部入力端子１５を介してポータブルオーディオプレーヤＰＡから供給されるアナログの再生音声信号Ｓ１０を電子ボリューム回路２３へ直接入力する。
【００４１】
因みにカーオーディオ装置１のシステムコントローラ２０は、フロントパネル３のフロント外部入力端子１５を介してポータブルオーディオプレーヤＰＡが接続された場合、その旨を示す接続信号Ｃ１を外部入力端子１５から受け取ることにより、当該ポータブルオーディオプレーヤＰＡが接続されたことを認識し得るようになされている。
【００４２】
またカーオーディオ装置１は、ソース切換ボタン１４に対するユーザの押下操作により外部機器出力モード２が選択された場合、リア外部入力端子１６を介してカーＴＶ装置ＣＴから供給されるアナログのＴＶ音声信号Ｓ２０を電子ボリューム回路２３へ直接入力する。
【００４３】
この場合もカーオーディオ装置１のシステムコントローラ２０は、本体部２における背面のリア外部入力端子１６を介してカーＴＶ装置ＣＴが接続された場合、その旨を示す接続信号Ｃ２をリア外部入力端子１６から受け取ることにより、当該カーＴＶ装置ＣＴが接続されたことを認識し得るようになされている。
【００４４】
電子ボリューム回路２３は、システムコントローラ２０からの指示に従って再生音声信号Ｓ１０又はＴＶ音声信号Ｓ２０のゲインを調整し、そのゲイン調整後の再生音声信号Ｓ１１又はＴＶ音声信号Ｓ２１を、ミュート処理回路２４を介してオーディオアンプ２５へ送出する。
【００４５】
オーディオアンプ２５は、再生音声信号Ｓ１１又はＴＶ音声信号Ｓ２１を所定のレベルに増幅し、増幅後の再生音声信号Ｓ１２又はＴＶ音声信号Ｓ２２に応じた再生音声又はＴＶ音声をスピーカＦＬ、ＦＲ、ＲＬ及びＲＲから出力するようになされている。
【００４６】
（３）電子ボリューム回路の構成
続いて、図４に示すように電子ボリューム回路２３は、インプットゲイン調整部２３Ａ、マスターボリューム調整部２３Ｂ、フェーダー調整部２３Ｃ及びスペクトラムアナライザーデータ生成部（以下、これをスペアナデータ生成部と呼ぶ）２４Ｄによって構成されている。
【００４７】
また電子ボリューム回路２３では、インプットゲイン調整部２３Ａ、マスターボリューム調整部２３Ｂ及びフェーダー調整部２３Ｃがシステムコントローラ２０とＩ２Ｃ(Inter Integrated Circuit)データラインＬ１によって接続されており、当該システムコントローラ２０からの命令に従ってそれぞれ動作するようになされている。
【００４８】
さらに電子ボリューム回路２３では、スペアナデータ生成部２３Ｄとシステムコントローラ２０とがスペアナデータラインＬ２によって接続されている。
【００４９】
電子ボリューム回路２３のインプットゲイン調整部２３Ａは、ディジタル／アナログコンバータ２２（図３）を介して入力された再生信号Ｓ２が例えばＤＶＤ再生音声における５．１ｃｈサラウンドの音声ソースであって、車両のスピーカＦＬ、ＦＲ、ＲＬ及びＲＲに合わせて４ｃｈにダウンミックスされている場合、音量レベルがＤＶＤ再生音声のオリジナルよりも小さくなっていることが多いため、予めその音量レベルを所定レベルだけ上げるようにゲイン調整し、そのゲイン調整後の再生信号Ｓ２Ａをマスターボリューム調整部２３Ｂ及びスペアナデータ生成部２３Ｄへ送出する。
【００５０】
但し、電子ボリューム回路２３のインプットゲイン調整部２３Ａは、再生信号Ｓ２がＤＶＤ再生音声における５．１ｃｈサラウンドの音声ソースではなかったり、再生信号Ｓ２以外のラジオ信号Ｂ２、再生音声信号Ｓ１０又はＴＶ音声信号Ｓ２０であるとき、ゲイン調整を行うことなく、そのままマスターボリューム調整部２３Ｂ及びスペアナデータ生成部２３Ｄへ送出するようになされている。
【００５１】
マスターボリューム調整部２３Ｂは、フロントパネル３のマスターボリューム８がユーザによって回転操作されたことに応じて再生信号Ｓ２Ａ、ラジオ信号Ｂ２、再生音声信号Ｓ１０又はＴＶ音声信号Ｓ２０のゲインを調整し、後段のフェーダー調整部２３Ｃへ送出する。
【００５２】
スペアナデータ生成部２３Ｄは、フロント外部入力端子１５又はリア外部入力端子１６を介して例えば最初の１秒間に外部入力されたアナログの再生音声信号Ｓ１０又はＴＶ音声信号Ｓ２０を周波数軸上の波形を示すスペクトラムアナライザーデータ（以下、これをスペアナデータと呼ぶ）ＳＡに変換し、これをアナログポート経由でシステムコントローラ２０へ送出する。
【００５３】
因みに内蔵ディスクでは、一般的に中心周波数（１[ＫＨｚ]）付近でフルビットの最大音量（０ｄＢ）が記録されていることは少ないため、システムコントローラ２０としては、スペアナデータＳＡにおける中心周波数（１[ＫＨｚ]）付近の例えば一般にユーザが車内空間で聴取している音量レベルであると統計値等から推測される例えば−６[ｄＢ]程度を基準音量レベルとして設定し、それに対応した基準電圧レベルＲＦをＲＯＭに記憶するようになされている。
【００５４】
従ってシステムコントローラ２０は、この基準電圧レベルＲＦと、スペアナデータ生成部２３Ｄから供給されたスペアナデータＳＡにおける中心周波数付近の入力電圧レベルＶＬと比較し、その比較結果に応じてフェーダー調整部２３Ｃにおけるゲイン調整幅を制御するようになされている。
【００５５】
なおシステムコントローラ２０では、−６[ｄＢ]程度の基準音量レベルに相当する基準電圧レベルＲＦを用いているが、これに限定されるものではなく、ユーザが直前までスピーカＦＬ、ＦＲ、ＲＬ及びＲＲから出力していた音量レベルに相当する例えば−１０[ｄＢ]や−２０[ｄＢ]程度を基準電圧レベルＲＦとして用いることもできる。
【００５６】
フェーダー調整部２３Ｃは、車内空間に配置された複数のスピーカＦＬ、ＦＲ、ＲＬ及びＲＲの音量レベルをそれぞれ個別に調整し得るようになされているが、システムコントローラ２０からの命令に応じてマスターボリューム調整部２３Ｂから供給された再生信号Ｓ２Ａ、ラジオ信号Ｂ２、再生音声信号Ｓ１０又はＴＶ音声信号Ｓ２０のゲインを調整して最終的に出力し得るようになされている。
【００５７】
（４）音量レベル制御処理手順
続いて、カーオーディオ装置１において、外部電子機器としてポータブルオーディオプレーヤＰＡ又はカーＴＶ装置ＣＴが外部接続された場合に、外部入力した音声の音量レベルを、それまで内蔵ディスクを聴取していたときの音量レベルとほぼ同程度になるように制御する音量レベル制御処理手順について、図５のフローチャートを用いて説明する。
【００５８】
カーオーディオ装置１のシステムコントローラ２０は、アプリケーションプログラムである音量レベル制御処理プログラムに従い、ルーチンＲＴ１の開始ステップから入って次のステップＳＰ１へ移り、本体部２により内蔵ディスクを再生して出力している状態から次のステップＳＰ２へ移る。
【００５９】
ステップＳＰ２においてカーオーディオ装置１のシステムコントローラ２０は、ソース切換ボタン１４に対するユーザの押下操作に応じて、ソースが内臓ディスクからポータブルオーディオプレーヤＰＡ又はカーＴＶ装置ＣＴの外部入力に切り換えられたか否かを判定し、否定結果が得られると、ステップＳＰ１７へ移り、内蔵ディスクの再生を継続したまま、音量レベル制御処理手順を終了する。
【００６０】
これに対してステップＳＰ２で肯定結果が得られると、このことはソースが内臓ディスクからポータブルオーディオプレーヤＰＡ又はカーＴＶ装置ＣＴの外部入力に切り換えられたことを表しており、このときカーオーディオ装置１のシステムコントローラ２０は次のステップＳＰ３へ移る。
【００６１】
ステップＳＰ３においてカーオーディオ装置１のシステムコントローラ２０は、外部接続されたポータブルオーディオプレーヤＰＡからのアナログの再生音声信号Ｓ１０又は、外部接続されたカーＴＶ装置ＣＴからのアナログのＴＶ音声信号Ｓ２０を電子ボリューム回路２３へ入力し、次のステップＳＰ４へ移る。
【００６２】
ステップＳＰ４においてカーオーディオ装置１のシステムコントローラ２０は、外部入力された再生音声信号Ｓ１０又はＴＶ音声信号Ｓ２０に応じたスペアナデータＳＡを電子ボリューム回路２３から受け取り、その中心周波数付近の入力電圧レベルＶＬを確認した後、次のステップＳＰ５へ移る。
【００６３】
ステップＳＰ５においてカーオーディオ装置１のシステムコントローラ２０は、外部入力されたスペアナデータＳＡの入力電圧レベルＶＬと、予め設定しておいた基準電圧レベルＲＦとを比較し、次のステップＳＰ６へ移る。
【００６４】
ここで図６に示すようにカーオーディオ装置１のシステムコントローラ２０は、実際上、駆動電圧３．３[Ｖ]で動作しており、中心周波数（１[ＫＨｚ]）付近でフルビットの最大音量（０ｄＢ）から−６ｄＢ程度の音量レベルに相当する基準電圧レベルＲＦ（１．５[Ｖ]）を設定し、その前後±０．２[Ｖ]の１．３１[Ｖ]〜１．７[Ｖ]の範囲内に、入力電圧レベルＶＬが入っていれば同程度の音量レベルであると判定し得るようになされている。
【００６５】
このときカーオーディオ装置１のシステムコントローラ２０は、内蔵ディスクの音量レベルと外部入力の音量レベルとの差が殆ど存在しないため、フェーダー調整部２３Ｃによるアナログの再生音声信号Ｓ１０又はＴＶ音声信号Ｓ２０に対するゲイン調整を行わないようになされている。
【００６６】
またカーオーディオ装置１のシステムコントローラ２０は、入力電圧レベルＶＬが基準電圧レベルＲＦ（１．５[Ｖ]）よりも低い０．９１[Ｖ]〜１．３[Ｖ]の範囲内、０．５１[Ｖ]〜０．９[Ｖ]の範囲内、又は０．５[Ｖ]以下の範囲内に入っている場合、これは内蔵ディスクの音量レベルよりも外部入力の音量レベルの方が低いと判定し得るようになされている。
【００６７】
このときカーオーディオ装置１のシステムコントローラ２０は、入力電圧レベルＶＬが０．９１[Ｖ]〜１．３[Ｖ]の範囲内に入っている場合、フェーダー調整部２３Ｃにより再生音声信号Ｓ１０又はＴＶ音声信号Ｓ２０に対するゲインを＋３ｄＢだけ上げるように調整することにより内蔵ディスクのときと同程度の音量レベルに近づけるようになされている。
【００６８】
同様に、カーオーディオ装置１のシステムコントローラ２０は、入力電圧レベルＶＬが０．５１[Ｖ]〜０．９[Ｖ]の範囲内に入っている場合、フェーダー調整部２３Ｃにより再生音声信号Ｓ１０又はＴＶ音声信号Ｓ２０に対するゲインを＋６ｄＢだけ上げるように調整し、入力電圧レベルＶＬが０．５[Ｖ]以下の範囲内に入っている場合、フェーダー調整部２３Ｃにより再生音声信号Ｓ１０又はＴＶ音声信号Ｓ２０に対するゲインを＋９ｄＢだけ上げるように調整することにより内蔵ディスクのときと同程度の音量レベルに近づけるようになされている。
【００６９】
さらにカーオーディオ装置１のシステムコントローラ２０は、入力電圧レベルＶＬが基準電圧レベルＲＦ（１．５[Ｖ]）よりも高い１．７１[Ｖ]〜２．１[Ｖ]の範囲内、２．１１[Ｖ]〜２．５[Ｖ]の範囲内、又は２．５１[Ｖ]以上の範囲内に入っている場合、これは内蔵ディスクの音量レベルよりも外部入力の音量レベルの方が高いと判定し得るようになされている。
【００７０】
このときカーオーディオ装置１のシステムコントローラ２０は、入力電圧レベルＶＬが１．７１[Ｖ]〜２．１[Ｖ]の範囲内に入っている場合、フェーダー調整部２３Ｃにより再生音声信号Ｓ１０又はＴＶ音声信号Ｓ２０に対するゲインを−３ｄＢだけ下げるように調整することにより内蔵ディスクのときと同程度の音量レベルに近づけるようになされている。
【００７１】
同様に、カーオーディオ装置１のシステムコントローラ２０は、入力電圧レベルＶＬが２．１１[Ｖ]〜２．５[Ｖ]の範囲内に入っている場合、フェーダー調整部２３Ｃにより再生音声信号Ｓ１０又はＴＶ音声信号Ｓ２０に対するゲインを−６ｄＢだけ下げるように調整し、入力電圧レベルＶＬが２．５１[Ｖ]以上の範囲内に入っている場合、フェーダー調整部２３Ｃにより再生音声信号Ｓ１０又はＴＶ音声信号Ｓ２０に対するゲインを−９ｄＢだけ下げるように調整することにより内蔵ディスクのときと同程度の音量レベルに近づけるようになされている。
【００７２】
ステップＳＰ６においてカーオーディオ装置１のシステムコントローラ２０は、入力電圧レベルＶＬが基準電圧レベルＲＦと同程度と判断できる１．３１[Ｖ]〜１．７[Ｖ]の範囲内に入っているか否かを判定する。
【００７３】
ここで肯定結果が得られると、このことは外部入力された再生音声信号Ｓ１０又はＴＶ音声信号Ｓ２０の音量レベルと、予め設定された基準音量レベルとがほぼ同程度であることを表しており、このときカーオーディオ装置１のシステムコントローラ２０は次のステップＳＰ７へ移る。
【００７４】
ステップＳＰ７においてカーオーディオ装置１のシステムコントローラ２０は、外部入力された再生音声信号Ｓ１０又はＴＶ音声信号Ｓ２０における音量レベルのまま車両のスピーカから出力した場合であっても、内蔵ディスクを再生していたときの音量レベルとの差が少なく、ユーザに対して違和感を生じさせることがないと判断し、このときフェーダー調整部２３Ｃによるゲイン調整を一切行うことなく、次のステップＳＰ８へ移る。
【００７５】
ところでステップＳＰ６で否定結果が得られると、このことは外部入力された再生音声信号Ｓ１０又はＴＶ音声信号Ｓ２０の入力電圧レベルＶＬが基準電圧レベルＲＦと同程度と判断できる１．３１[Ｖ]〜１．７[Ｖ]の範囲内に入っておらず、その基準電圧レベルよりも低いか或いは高いことを表しており、このときカーオーディオ装置１のシステムコントローラ２０は次のステップＳＰ９へ移る。
【００７６】
ステップＳＰ９においてカーオーディオ装置１のシステムコントローラ２０は、外部入力された再生音声信号Ｓ１０又はＴＶ音声信号Ｓ２０の入力電圧レベルＶＬが基準電圧レベルＲＦよりも低いか否かを判定し、肯定結果が得られると次のステップＳＰ１０へ移る。
【００７７】
ステップＳＰ１０においてカーオーディオ装置１のシステムコントローラ２０は、ステップＳＰ９で肯定結果が得られたので、外部入力された再生音声信号Ｓ１０又はＴＶ音声信号Ｓ２０の音量レベルが内蔵ディスクの基準音量レベルよりも低いと判断し、次のステップＳＰ１１へ移る。
【００７８】
ステップＳＰ１１においてカーオーディオ装置１のシステムコントローラ２０は、外部入力された再生音声信号Ｓ１０又はＴＶ音声信号Ｓ２０の入力電圧レベルＶＬが０．９１[Ｖ]〜１．３[Ｖ]の範囲内にある場合、フェーダー調整部２３Ｃにより再生音声信号Ｓ１０又はＴＶ音声信号Ｓ２０に対するゲインを＋３ｄＢだけ上げ、入力電圧レベルＶＬが０．５１[Ｖ]〜０．９[Ｖ]の範囲内にある場合、フェーダー調整部２３Ｃにより再生音声信号Ｓ１０又はＴＶ音声信号Ｓ２０に対するゲインを＋６ｄＢだけ上げ、入力電圧レベルＶＬが０．５[Ｖ]以下の範囲内にある場合、フェーダー調整部２３Ｃにより再生音声信号Ｓ１０又はＴＶ音声信号Ｓ２０に対するゲインを＋９ｄＢだけ上げ、ステップＳＰ８へ移る。
【００７９】
これに対してステップＳＰ９で否定結果が得られると、このことは外部入力された再生音声信号Ｓ１０又はＴＶ音声信号Ｓ２０の入力電圧レベルＶＬが基準電圧レベルＲＦよりも高いことを表しており、このときカーオーディオ装置１のシステムコントローラ２０は次のステップＳＰ１２へ移る。
【００８０】
ステップＳＰ１２においてカーオーディオ装置１のシステムコントローラ２０は、ステップＳＰ９で否定結果が得られたので、外部入力された再生音声信号Ｓ１０又はＴＶ音声信号Ｓ２０の音量レベルが内蔵ディスクの基準音量レベルよりも高いと判断し、次のステップＳＰ１３へ移る。
【００８１】
ステップＳＰ１３においてカーオーディオ装置１のシステムコントローラ２０は、外部入力された再生音声信号Ｓ１０又はＴＶ音声信号Ｓ２０の入力電圧レベルＶＬが１．７１[Ｖ]〜２．１[Ｖ]の範囲内にある場合、フェーダー調整部２３Ｃにより再生音声信号Ｓ１０又はＴＶ音声信号Ｓ２０に対するゲインを−３ｄＢだけ下げ、入力電圧レベルＶＬが２．１１[Ｖ]〜２．５[Ｖ]の範囲内にある場合、フェーダー調整部２３Ｃにより再生音声信号Ｓ１０又はＴＶ音声信号Ｓ２０に対するゲインを−６ｄＢだけ下げ、入力電圧レベルＶＬが２．５１[Ｖ]以上の範囲内にある場合、フェーダー調整部２３Ｃにより再生音声信号Ｓ１０又はＴＶ音声信号Ｓ２０に対するゲインを−９ｄＢだけ下げ、ステップＳＰ８へ移る。
【００８２】
ステップＳＰ８においてカーオーディオ装置１のシステムコントローラ２０は、ステップＳＰ７でフェーダー調整部２３Ｃによるゲイン調整を一切行うことのない再生音声信号Ｓ１０又はＴＶ音声信号Ｓ２０に基づく再生音声又はＴＶ音声、或いはステップＳＰ１１又はステップＳＰ１３でゲイン調整を行った後の再生音声信号Ｓ１１又はＴＶ音声信号Ｓ２１に基づく再生音声又はＴＶ音声を車両のスピーカＦＬ、ＦＲ、ＲＬ及びＲＲから出力し、次のステップＳＰ１４へ移る。
【００８３】
ステップＳＰ１４においてカーオーディオ装置１のシステムコントローラ２０は、外部入力のポータブルオーディオプレーヤＰＡ又はカーＴＶ装置ＣＴからの再生音声又はＴＶ音声を出力している最中に、ユーザのソース切換ボタン１４に対する押下操作によってソースが外部入力から内蔵ディスクへ戻されたか否かを判定し、否定結果が得られると次のステップＳＰ１５へ移る。
【００８４】
ステップＳＰ１５においてカーオーディオ装置１のシステムコントローラ２０は、ソースが外部入力のまま変更されていないため、フェーダー調整部２３Ｃによるゲイン調整をそのまま維持し、次のステップＳＰ１７へ移って処理を終了する。
【００８５】
これに対してステップＳＰ１４で肯定結果が得られると、このことはソースが外部入力から内蔵ディスクへ戻されたことを表しており、このときカーオーディオ装置１のシステムコントローラ２０は次のステップＳＰ１６へ移る。
【００８６】
ステップＳＰ１６においてカーオーディオ装置１のシステムコントローラ２０は、ソースが外部入力から内蔵ディスクへ戻されたので、フェーダー調整部２３Ｃによるゲイン調整を行っていた場合は、ゲイン調整を行う前の基準音量レベルになるようにゲインを戻し、次のステップＳＰ１７へ移って処理を終了する。
【００８７】
（５）動作及び効果
以上の構成において、カーオーディオ装置１のシステムコントローラ２０は、外部電子機器としてポータブルオーディオプレーヤＰＡが接続された場合、そのポータブルオーディオプレーヤＰＡから入力される再生音声信号Ｓ１０の音量レベルが、内蔵ディスクを再生していたときの再生信号Ｓ２に対する基準音量レベルよりも低いことが一般的であり、そのとき、音量レベル差に応じたゲイン調整（＋３[ｄＢ]、＋６[ｄＢ]又は＋９[ｄＢ]）を行う。
【００８８】
これによりカーオーディオ装置１のシステムコントローラ２０は、ソースを内蔵ディスクから外部入力のポータブルオーディオプレーヤＰＡに切り換えたときであっても、内蔵ディスクの再生音量レベルと同程度になるように調整した後のポータブルオーディオプレーヤＰＡの再生音声をスピーカＦＬ、ＦＲ、ＲＬ及びＲＲから出力することが出来るので、ユーザに対してソース切換に伴う違和感を生じさせることがない。
【００８９】
またカーオーディオ装置１のシステムコントローラ２０は、外部電子機器としてカーＴＶ装置ＣＴが接続された場合、そのカーＴＶ装置ＣＴから入力されるＴＶ音声信号Ｓ２０の音量レベルが、内蔵ディスクを再生していたときの再生信号Ｓ２に対する基準音量レベルよりも低いのみならず高いことも有り得、そのとき、音量レベル差に応じたゲイン調整（＋３[ｄＢ]、＋６[ｄＢ]、＋９[ｄＢ]、−３[ｄＢ]、−６[ｄＢ]又は−９[ｄＢ]）を行う。
【００９０】
これによりカーオーディオ装置１のシステムコントローラ２０は、ソースを内蔵ディスクから外部入力のカーＴＶ装置ＣＴに切り換えたときであっても、内蔵ディスクの再生音量レベルと同程度になるように調整した後のカーＴＶ装置ＣＴのＴＶ音声をスピーカＦＬ、ＦＲ、ＲＬ及びＲＲから出力することが出来るので、ユーザに対してソース切換に伴う違和感を生じさせることがない。
【００９１】
その後カーオーディオ装置１のシステムコントローラ２０は、ソースを外部入力のポータブルオーディオプレーヤＰＡ又はカーＴＶ装置ＣＴから内蔵ディスクへ戻されたとき、外部入力に対するゲイン調整を行う前の基準音量レベルになるよう、フェーダー調整部２３Ｃのゲインを自動的に戻すようにしたことにより、ユーザに対してマスターボリューム８を下げさせるという煩雑な操作を強いることなく、車両のスピーカＦＬ、ＦＲ、ＲＬ及びＲＲから爆音が出力されてしまうという事態を確実に回避することができる。
【００９２】
さらにカーオーディオ装置１のシステムコントローラ２０は、フロント外部入力端子１５又はリア外部入力端子１６を介して最初の１秒間に外部入力されたアナログの再生音声信号Ｓ１０又はＴＶ音声信号Ｓ２０のスペアナデータＳＡにおける入力電圧レベルＶＬを基準電圧レベルＲＦとの比較に用いるようにした。
【００９３】
これによりカーオーディオ装置１のシステムコントローラ２０は、ソースが内蔵ディスクから外部入力に切り換えられたとき、外部入力されたアナログの再生音声信号Ｓ１０又はＴＶ音声信号Ｓ２０に応じた再生音声又はＴＶ音声を殆どタイムラグのない状態で、かつ同程度の音量レベルで直ちに車両のスピーカＦＬ、ＦＲ、ＲＬ及びＲＲから出力することができる。
【００９４】
以上の構成によれば、カーオーディオ装置１のシステムコントローラ２０は、ソースが内蔵ディスクから外部入力に切り換えられたときであっても、ユーザに煩雑な操作を強いることなく、ソース切換前と同程度の音量レベルで外部入力の再生音声又はＴＶ音声をユーザに対して聴取させることができる。
【００９５】
（６）他の実施の形態
なお上述の実施の形態においては、フロントパネル３のフロント外部入力端子１５を介してポータブルオーディオプレーヤＰＡを外部電子機器として接続するようにした場合について述べたが、本発明はこれに限らず、音声出力可能であれば携帯電話機、ＰＤＡ、小型のモバイルＰＣ(Personal Computer)、ＰＮＤ(Portable Navigation Device)等のその他種々の外部電子機器を接続するようにしても良い。
【００９６】
この場合カーオーディオ装置１では、ポータブルオーディオプレーヤＰＡの代わりに例えば携帯電話機が接続された場合、当該携帯電話機により再生された音楽コンテンツの再生音声を本体部２経由でゲイン調整した後に車両のスピーカＦＬ、ＦＲ、ＲＬ及びＲＲから出力するだけではなく、携帯電話機により通話中の相手音声を本体部２経由でゲイン調整した後に車両のスピーカＦＬ、ＦＲ、ＲＬ及びＲＲから出力することもできる。
【００９７】
またカーオーディオ装置１では、ポータブルオーディオプレーヤＰＡの代わりに例えばＰＮＤが接続された場合、当該ＰＮＤにより再生された音楽コンテンツの再生音声を本体部２経由でゲイン調整した後に車両のスピーカＦＬ、ＦＲ、ＲＬ及びＲＲから出力するだけではなく、ＰＮＤにより推奨ルート走行中のナビゲーション案内音声を本体部２経由でゲイン調整した後に車両のスピーカＦＬ、ＦＲ、ＲＬ及びＲＲから出力することもできる。
【００９８】
また上述の実施の形態においては、本体部２の背面に設けられたリア外部入力端子１６を介してカーＴＶ装置ＣＴが接続され、そのカーＴＶ装置ＣＴのＴＶ音声を本体部２経由でゲイン調整した後に車両のスピーカＦＬ、ＦＲ、ＲＬ及びＲＲから出力するようにした場合について述べたが、本発明はこれに限らず、カーＴＶ装置ＣＴ以外の例えば携帯電話機、ＰＤＡ、小型のモバイルＰＣ(Personal Computer)、カーナビゲーション装置、ＰＮＤ(Portable Navigation Device)等のその他種々の外部電子機器を接続するようにしても良い。この場合もフロント外部入力端子１５のときと同様の効果を奏することができる。
【００９９】
さらに上述の実施の形態においては、フロント外部入力端子１５又はリア外部入力端子１６を介して最初の１秒間に外部入力されたアナログの再生音声信号Ｓ１０又はＴＶ音声信号Ｓ２０のスペアナデータＳＡにおける入力電圧レベルＶＬを基準電圧レベルＲＦとの比較に用いるようにした場合について述べたが、本発明はこれに限らず、ユーザに対してソース切換後のタイムラグをそれほど感じさせることがない程度であれば、最初の２秒間に外部入力されたアナログの再生音声信号Ｓ１０又はＴＶ音声信号Ｓ２０のスペアナデータＳＡにおける入力電圧レベルＶＬを基準電圧レベルＲＦとの比較に用いるようにしたり、その他種々の設定時間内に外部入力されたアナログの再生音声信号Ｓ１０又はＴＶ音声信号Ｓ２０のスペアナデータＳＡにおける入力電圧レベルＶＬを基準電圧レベルＲＦとの比較に用いるようにしても良い。
【０１００】
さらに上述の実施の形態においては、スペアナデータ生成部２３Ｄから供給されたスペアナデータＳＡにおける中心周波数（１[ＫＨｚ]）付近の入力電圧レベルＶＬと基準電圧レベルＲＦとを比較するようにした場合について述べたが、本発明はこれに限らず、全周波数帯域における入力電圧レベルの平均値を入力電圧レベルＶＬとして用いたり、中心周波数前後の周波数付近の入力電圧レベルＶＬを用いる等、比較対象とすべき入力電圧レベルＶＬとしてはその他種々の値を用いるようにしても良い。
【０１０１】
さらに上述の実施の形態においては、フェーダー調整部２３Ｃによるゲイン調整幅として、基準電圧レベルＲＦと入力電圧レベルＶＬとの差に応じて＋３[ｄＢ]、＋６[ｄＢ]、＋９[ｄＢ]、−３[ｄＢ]、−６[ｄＢ]又は−９[ｄＢ]と設定することにより内蔵ディスクのときと同程度の音量レベルに近づけるようにした場合について述べたが、本発明はこれに限らず、基準電圧レベルＲＦと入力電圧レベルＶＬとの差及びゲイン調整幅として、その他種々の数値に設定することにより内蔵ディスクのときと同程度の音量レベルに近づけたり、或いは同程度よりも所定レベルだけ大きな又は小さな音量レベルになるようにしても良い。
【０１０２】
特に、カーオーディオ装置１のシステムコントローラ２０は、基準電圧レベルＲＦと入力電圧レベルＶＬとの差が所定の閾値を超えるほど非常に大きいと判断できる場合、その差に応じてゲイン調整幅を設定することにより内蔵ディスクのときと同程度の音量レベルに近づけるのではなく、再生音声信号１０又はＴＶ音声信号Ｓ２０の時間経過に伴って後から非常に大きな音量レベル又は非常に小さな音量レベルになる可能性があることを予測し、内蔵ディスクのときと同程度の音量レベルよりもその分を見越した小さな又は大きな音量レベルに設定することもできる。
【０１０３】
この場合カーオーディオ装置１は、再生音声信号１０又はＴＶ音声信号Ｓ２０の音量レベルが時間経過と共に大きく変化する場合であっても、ソースが内蔵ディスクから外部入力に切り換えられた後も、それほど大きな音量差による違和感をユーザに対して生じさせずに済む。
【０１０４】
さらに上述の実施の形態においては、カーオーディオ装置１のシステムコントローラ２０がアプリケーションプログラムである音量レベル制御処理プログラムに従って上述したルーチンＲＴ１の音量レベル制御処理手順（図５）を実行するようにした場合について述べたが、本発明はこれに限らず、記録媒体からインストールした音量レベル制御処理プログラムや、インターネットからダウンロードした音量レベル制御処理プログラム、その他種々のルートによってインストールした音量レベル制御処理プログラムに従って上述した音量レベル制御処理手順を実行するようにしても良い。
【０１０５】
さらに上述の実施の形態においては、本発明の電子機器を、ゲイン調整部としての電子ボリューム回路２３、外部入力端子としてのフロント外部入力端子１５及びリア外部入力端子１６、変換部としての電子ボリューム回路２３、制御部としてのシステムコントローラ２０によって構成するようにした場合について述べたが、本発明はこれに限らず、その他種々の回路構成でなるゲイン調整部、外部入力端子、変換部及び制御部によって構成するようにしても良い。
【産業上の利用可能性】
【０１０６】
本発明の電子機器及び音量レベル制御方法は、例えばカーオーディオ装置以外にもホームオーディオ機器、パーソナルコンピュータ等のその他種々の電子機器に適用することができる。
【図面の簡単な説明】
【０１０７】
【図１】本発明の一実施の形態におけるカーオーディオ装置の外観構成を示す略線的斜視図である。
【図２】カーオーディオ装置の背面構成を示す略線的斜視図である。
【図３】カーオーディオ装置に外部電子機器が接続された状態の説明に供する略線的斜視図である。
【図４】カーオーディオ装置の回路構成を示す略線的ブロック図である。
【図５】電子ボリューム回路の構成を示す略線的ブロック図である。
【図６】音量レベル制御処理手順の説明に供するフローチャートである。
【図７】ゲイン調整量を示す略線図である。
【符号の説明】
【０１０８】
１……カーオーディオ装置、２……本体部、３……フロントパネル、４……イジェクトボタン、５……電源ボタン、６……ディスク挿入口、７……ＬＣＤ、８……マスターボリューム、９……ソース切換ボタン、１０……ブラウザボタン、１１……バックボタン、１２……モード切換ボタン、１３、１４……シークボタン、１５……フロント外部入力端子、１６Ａ、１６Ｂ……リア外部入力端子、１７……外部音声出力端子、１８……アンテナ端子、１９……ビデオ出力端子、ＦＡ……ファン、ＰＳＣ……電力供給コネクタ、２０……システムコントローラ、２１……ディスク再生部、２２……ディジタル／アナログコンバータ、２３……電子ボリューム回路、２３Ａ……インプットゲイン調整部、２３Ｂ……マスターボリューム調整部、２３Ｃ……フェーダー調整部、２３Ｄ……スペアナデータ生成部、２４……ミュート処理回路、２５……オーディオアンプ、２６……チューナ、２８……ビデオアンプ、２９……モニタ、ＰＡ……ポータブルオーディオプレーヤ、ＣＴ……カーＴＶ装置、ＦＬ、ＦＲ、ＲＬ、ＲＲ……スピーカ。
【図１】
2009212830.tif 000003
【図２】
2009212830.tif 000004
【図３】
2009212830.tif 000005
【図４】
2009212830.tif 000006
【図５】
2009212830.tif 000007
【図６】
2009212830.tif 000008
【図７】
2009212830.tif 000009